(57)【要約】【課題】野生動物に警戒心を抱かせることなく、簡単な機構で効率よく鹿や猪などの獣類を捕獲できる。【解決手段】地上に設置される箱形の罠本体２と、この罠本体の前後の開口を同時に塞ぐ１対のシャッタ３と、このシャッタを自重で垂直に落下させることができるシャッタ開閉手段とを備え、シャッタ開閉手段がシャッタ係止部４と、このシャッタ係止部と係脱可能に係止できるロッド５と、罠作動体とこれに連結されている獣感知部体とから構成される罠作動部６と、ロッドの他端と罠作動部とを連結する索条７とを備える。【選択図】図１
2010268699.tif 000002
【特許請求の範囲】
【請求項１】
前後の各端部に開口を有し、地上に設置される箱形の罠本体と、
この罠本体の前後の開口の上に垂直に係止され、自重で垂直に落下して前後の開口を同時に塞ぐ前後１対のシャッタと、
このシャッタを前記開口の上に垂直に係止できると共に、罠本体内に侵入した獣を感知して、該シャッタを自重で垂直に落下させることができるシャッタ開閉手段とを備えた獣捕獲用箱罠において、
前記シャッタ開閉手段は、
前記シャッタの下部に設けられたシャッタ係止部と、
前記罠本体の開口上部に設けられ、前記開口面に平行する軸に中央部分が固定されて軸周り回転自在に取り付けられて、一端が前記シャッタ係止部と係脱可能に係止できると共に、前記一端を下方向に付勢する付勢手段を有するロッドと、
前記罠本体側面の下部に設けられ、回転自在な軸の軸径方向に突出して固定されているレバーと、このレバーと略反対側の軸径方向に固定されている平板状固定片と、この平板状固定片の下方であって前記罠本体の下面に設けられた架台と、前記平板状固定片と前記架台との間に挟持される罠作動体と、この罠作動体に連結されている獣感知部体とから構成される罠作動部と、
前記ロッドの他端と前記レバー先端とを連結する索条とを備え、
罠設置時には、前記ロッドの他端と前記レバー先端とが張設された前記索条を介して連結されて、該ロッドを前記付勢力に抗して水平に維持することで、前記シャッタ係止部と前記ロッドの一端とが係合し、前記シャッタを開状態に保持して、
罠作動時には、前記獣感知部体が揺動することで、挟持された前記罠作動体が前記平板状固定片と前記架台との間から外れて、張設された前記索条が緩むことで前記ロッドの一端が前記付勢されている方向に回転することで前記シャッタ係止部と前記ロッドの一端との係合が外れ、前記シャッタが自重で垂直に落下して前後の開口を同時に塞ぐことを特徴とする獣捕獲用箱罠。
【請求項２】
前記罠設置時に前記シャッタを開状態に保持する安全装置を、前記罠本体および前記シャッタ間、および前記罠作動部の罠作動部用筐体に具備することを特徴とする請求項１記載の獣捕獲用箱罠。
【請求項３】
前記開口を有する面に隣接する罠本体側面に、前記開口面より小さい面積の補助開口を有すると共に、該補助開口を塞ぐ補助扉と、該補助扉に併設される移動用檻を有することを特徴とする請求項１または請求項２記載の獣捕獲用箱罠。
【発明の詳細な説明】
【技術分野】
【０００１】
本発明は、鹿、猪などの獣類を捕獲するための獣捕獲用箱罠に関する。
【背景技術】
【０００２】
伊勢神宮で使用される茅葺き用の茅などを生育・採取する茅場を荒らす鹿、猪などの野生動物が近年増加しており、これら茅場を管理する人々の深刻な問題となっている。
野生動物の捕獲装置としては、箱形の捕獲用ケージと、ケージの入口に設けられた落下式扉と、一端部が扉に止着されて、扉の上方に設けたシーブに掛装される扉吊上用索体と、一端部がケージに止着されて、ケージ内に侵入した動物が引っ掛かるようにシーブを介して張設される動物引掛用索体と、ケージの入口が開放するように扉を所定高さ吊り上げた扉吊上用索体の他端部と緊張した動物引掛用索体の他端部とを連結し、この連結状態で侵入動物が動物引掛用索体に引っ掛かることによってその索体の張力が一定以上になった時両索体の他端部を互いに切り離して扉を落下させる索体連結手段とからなる動物捕獲装置が知られている（特許文献１）。
また、平面視多角形状に外周を囲んで獣類の入る空間を形成する檻本体と、周壁部のうちの連続する隣接複数面のそれぞれを自在に開閉するように設けられた複数の扉部と、檻本体の空間内に獣類が入ったか否かを感知する感知部と、感知部が獣類を感知したときに隣接複数面の各扉部を同時に閉鎖する同時閉鎖機構とを含む獣類の捕獲装置が知られている（特許文献２）。
【０００３】
しかしながら、野生動物は少しでも周囲と異なる環境、または従来と異なる環境に出会うと警戒心を強めるという習性がある。例えば、特許文献１に記載されているような張設した索体を箱罠内に設けると、野生動物は索体に警戒して箱罠に入らなくなるという問題がある。
また、特許文献２に記載されている感知部は、檻本体内空間に下部側を垂下しつつ揺動自在に支持されて獣類と接触して揺動する接触体と、この接触体の上部に載置されると共に接触体が揺動した際に落下して同時閉鎖機構を作動させる重りとを含むので、感知部自体が複雑であり、また、檻本体内空間に揺動する接触体を設けるため、この揺動する接触体に野生動物が警戒してしまうという問題がある。さらに、感知部で感知した動きを機械作動体に伝え、機械作動体のばねの力とてこの原理で閉鎖する扉を支えている係止体を解除する機構となっているため、罠の機構が複雑になるという問題がある。
【先行技術文献】
【特許文献】
【０００４】
【特許文献１】特開２００２−２７２３５１
【特許文献２】特開２００７−３００８４７
【発明の概要】
【発明が解決しようとする課題】
【０００５】
本発明は、このような問題に対処するためになされたもので、野生動物に警戒心を抱かせることなく、簡単な機構で効率よく鹿や猪などの獣類を捕獲できる獣捕獲用箱罠の提供を目的とする。
【課題を解決するための手段】
【０００６】
本発明の獣捕獲用箱罠は、前後の各端部に開口を有し、地上に設置される箱形の罠本体と、この罠本体の前後の開口の上に垂直に係止され、自重で垂直に落下して前後の開口を同時に塞ぐ前後１対のシャッタと、この１対のシャッタを上記開口の上に垂直に係止できると共に、罠本体内に侵入した獣を感知して、該シャッタを自重で垂直に落下させることができるシャッタ開閉手段とを備えた獣捕獲用箱罠であり、上記シャッタ開閉手段は以下の特徴を有する。
【０００７】
シャッタ開閉手段は、１対のシャッタの下部にそれぞれ設けられたシャッタ係止部と、上記罠本体の開口上部に設けられ、上記開口面に平行する軸に中央部分が固定されて軸周り回転自在に取り付けられて、一端が上記シャッタ係止部と係脱可能に係止できると共に、その一端を下方向に付勢する付勢手段を有するロッドと、上記罠本体側面の下部に設けられ、回転自在な軸の軸径方向に突出して固定されているレバーと、このレバーと略反対側の軸径方向に固定されている平板状固定片と、この平板状固定片の下方であって上記罠本体の下面に設けられた架台と、この平板状固定片と架台との間に挟持される罠作動体と、この罠作動体に連結されている獣感知部体とから構成される罠作動部と、上記ロッドの他端と上記レバー先端とを連結する索条とを備え、
罠設置時には、上記ロッドの他端と上記レバー先端とが張設された上記索条を介して連結されて、該ロッドを上記付勢力に抗して水平に維持することで、上記シャッタ係止部と上記ロッドの一端とが係合し、上記シャッタを開状態に保持して、
罠作動時には、上記獣感知部体が揺動することで、挟持された上記罠作動体が上記平板状固定片と架台との間から外れて、張設された上記索条が緩むことで上記ロッドの一端が上記付勢されている方向に回転することで上記シャッタ係止部と上記ロッドの一端との係合が外れ、上記シャッタが自重で垂直に落下して前後の開口を同時に塞ぐことを特徴とする。
【０００８】
また、罠設置時に上記シャッタを開状態に保持する安全装置を、罠本体およびシャッタ間、および罠作動部の罠作動部用筐体に具備することを特徴とする。
また、上記開口を有する面に隣接する罠本体側面に、本体の開口面より小さい面積の補助開口を有すると共に、該補助開口を塞ぐ補助扉と、該補助扉に併設される移動用檻を有することを特徴とする。
【発明の効果】
【０００９】
本発明の獣捕獲用箱罠は、罠設置時に両端が開口した箱罠であり、また張設した索体を箱罠内に設けることがなく、古丸太などを配置しておくだけでよい上記構造のシャッタ開閉手段を有するので、鹿、猪などの獣類が警戒することなく箱罠内に侵入する。
シャッタ開閉手段を構成する罠作動部は、古丸太などに連結されている罠作動体が平板状固定片と架台との間から外れるのみで、箱罠が閉じた状態になるので、簡単な機構で効率よく獣類を捕獲できる。
さらに捕獲した獣類は、箱罠に閉じ込められた状態で興奮しているので、補助開口を塞ぐ補助扉を開くことのみで移動用檻に移動させることができる。
【図面の簡単な説明】
【００１０】
【図１】獣捕獲用箱罠を設置した状態を示す斜視図である。
【図２】罠本体の外側から見た罠作動体の斜視図である。
【図３】罠本体の内側から見た罠作動体の斜視図である。
【図４】罠作動時における罠本体の外側から見た罠作動体の斜視図である。
【図５】罠作動時における罠本体の内側から見た罠作動体の斜視図である。
【図６】補助扉を示す図である。
【図７】移動用檻の斜視図である。
【発明を実施するための形態】
【００１１】
本発明の獣捕獲用箱罠について図１により説明する。図１は本発明の獣捕獲用箱罠を設置した状態を示す斜視図である。なお、以下の説明において、上方とは図面上側をいい、下方とは図面下側をいう。
獣捕獲用箱罠１は、天井面２ａと、２つの側面２ｂ、２ｃと、底面２ｄとで形成される筒状の罠本体２と、この罠本体２の天井面２ａ、側面２ｂ、側面２ｃ、および底面２ｄで形成される筒の開口部を塞ぐ前後のシャッタ３ａ、３ｂとを備え、シャッタ３が塞がれた状態で獣類の捕獲空間を形成する。
【００１２】
筒状の罠本体２およびシャッタ３は、例えば、アングル材やＬ字鋼等の金属製杆状部材を用いて矩形状の枠体を形成する。矩形状の枠体は、シャッタ３のガイドレールを兼ねる２ｅ1が四隅に垂直に立設し、この２ｅ1を支える水平方向の上下６個の２ｅ2で立方体形状に組み付けられている。枠体内部は鉄筋２ｆが格子状に組み付けられている。
筒状の罠本体２およびシャッタ３を形成する材料は、錆の発生しやすい鉄製の材料であることが好ましい。錆が発生している箱罠であると、獣類が警戒心を抱くことがないため、獣捕獲効率が向上する。
開口部の大きさは、特に鹿、猪等の獣類が侵入できる大きさであればよく、例えば縦および横の長さが１〜２ｍの大きさが好ましい。また、２つの開口部の距離は２〜５ｍであることが好ましい。
【００１３】
シャッタ３は、罠本体２の前後の開口を塞ぐ前後１対のシャッタ３ａ、３ｂであり、その構成は上述したように、矩形状の枠体２ｅ3内部に鉄筋２ｆを格子状に組み付けて構成されている。
シャッタ３ａ、３ｂは、罠本体２を構成する４個の枠体２ｅ1を上方に延長して設けられた縦長のガイドレール２ｅ4にシャッタ３の左右両側を形成する枠体２ｅ3の縁枠部側を上下スライド移動自在に案内される。このガイドレール２ｅ4は、例えば、Ｌ字鋼を用いることができ、Ｌ字状の内側部分と罠本体２ｅ2で形成される隙間にシャッタ３ａ、３ｂを挿入した状態で罠本体の前後の開口の上に垂直に係止できる。なお、Ｌ字鋼の代わりにＵ字鋼を用いて、シャッタ３ａ、３ｂの左右両側に縦に平行してＵ字状の開口側を対向して立てた状態で、罠本体の枠の１つとして一体的に固定することができる。
このシャッタ３ａ、３ｂは、罠設置時に、罠本体の前後の開口の上に垂直に係止され、罠作動時に、ガイドレール２ｅ4に沿って自重で垂直に落下して前後の開口を同時に塞ぐことができる。
【００１４】
このシャッタ３ａ、３ｂを開口の上に垂直に係止すると共に、罠本体２内に侵入した獣８を感知して、シャッタ３ａ、３ｂを自重で垂直に落下させるシャッタ開閉手段について、図１〜図３により説明する。図２は罠本体２の外側から見た罠作動体６の斜視図であり、図３は罠本体２の内側から見た罠作動体６の斜視図であり、いずれも罠設置時の状態を示している。
シャッタ開閉手段は、図１に示すように、シャッタ係止部４と、このシャッタ係止部４と係脱可能に係止できるロッド５と、罠本体２の側面下部に設けられた罠作動部６と、ロッド５と罠作動部６とを連結する索条７とを備えている。
シャッタ係止部４は、シャッタ３ａ、３ｂの下部に設けられ、罠設置時に、罠本体２の前後の開口の上にシャッタ３ａ、３ｂを垂直に係止できるものであれば使用できる。図１に示すように、シャッタの下部に固定されて該シャッタを吊ることができるロープ４ａで形成することが好ましい。このロープ４ａはロッド５の一端５ａに係脱可能に係止できる。
【００１５】
シャッタ係止部４を係脱可能に係止できるロッド５は、罠本体２の開口上部の開口面に平行に立設した一対のＬ字鋼５ｅの間に罠本体２の開口面に平行する軸５ｃを設け、この軸５ｃにロッドの中央部分が固定されて軸５ｃ周り回転自在に取り付けられている。具体的には、軸５ｃがＬ字鋼５ｅに対して回転自在に取り付けられている。
開口面側に位置するロッド５の一端５ａは、上記シャッタ係止部４を係脱可能に吊ることができる。また、ロッド５の反対側の一端５ｂは、索条７に連結している。
上記軸５ｃはコイルバネなどの付勢手段５ｄにより、ロッドの一端５ａが下方向に付勢できるように付勢されている。
また、罠設置時にシャッタ３ａ、３ｂを開状態に保持して、罠本体２およびシャッタ３を開状態に固定するための固定ピンなどの安全装置９が罠本体２および３に設けられている。
【００１６】
罠作動部６は罠本体２の側面下部に固定して設けられ（図１）、回転自在な軸６ａの軸径方向に突出して固定されているレバー６ｂと、このレバーと略反対側の軸径方向に固定されている平板状固定片６ｃと、この平板状固定片６ｃの下方であって罠本体２の下面に設けられた架台６ｄと、平板状固定片６ｃと架台６ｄとの間に挟持される罠作動体６ｅと、この罠作動体６ｅに連結されている獣感知部体６ｆとから構成される（図１、図２、図３）。
【００１７】
図２に示すように、軸６ａにはレバー６ｂが軸径方向に突出して固定されている。レバー６ｂはシャッタ３ａ、３ｂに対応して、２個設けられており、この２個のレバー６ｂの先端部に軸６ａに平行に索条７に連結するための索条連結用ロッド６ｆが固定されている。
また、レバー６ｂと略反対側の軸径方向に平板状固定片６ｃが軸６ａに固定されている。レバー６ｂと平板状固定片６ｃとは、軸６ａに固定され、この軸６ａが罠作動部６を罠本体２に固定するための罠作動部用筐体６ｇに回転自在に軸支されている。
【００１８】
図３に示すように、平板状固定片６ｃの下方には、架台６ｄが罠作動部用筐体６ｇに固定されており、平板状固定片６ｃの下面と架台６ｄの上面とは、罠設置時に相互に平行面となるように設定されている。この架台６ｄと平板状固定片６ｃとの間に円柱状の罠作動体６ｅが取り外し自在に挟み込まれている。罠作動体６ｅには獣感知部体６ｆが紐６ｈなどで繋がっており、獣感知部体６ｆを移動することにより、罠作動体６ｅが外れる。獣感知部体６ｆは、鹿や猪などが生息する山林に放置されている古丸太などを使用できる。
【００１９】
また、罠設置時に誤って罠作動体６ｅが外れてもシャッタ３ａ、３ｂが落下しないための安全装置として、軸６ａの回転を防ぐ安全ピン９ａが罠作動部用筐体６ｇに挿入自在に設けられている。安全ピン９ａは罠作動部用筐体６ｇに挿入することで、レバー６ｂに係合して軸６ａを回転させなくする。
【００２０】
索条７は、ロッドの一端５ｂおよびレバー６ｂの先端を連結している。ロッドの一端５ｂに固定された索条７は罠本体２の表面に設けられたリング２ｇを介してレバー６ｂの先端、具体的にはレバー６ｂの先端部に固定されている索条連結用ロッド６ｆに連結されている。シャッタ３ａ、３ｂに対応して、２組の索条７が設けられており、罠設置時または作動時には同時に働く。索条７の材質は罠本体２の周面または枠体に設けられたリング２ｇ内を摺動でき、かつロッド５を介してシャッタ３ａ、３ｂを吊設できる強度を有するものであれば使用できる。
【００２１】
罠設置方法および罠作動方法について図２〜図５により説明する。図４は罠作動時における罠本体２の外側から見た罠作動体６の斜視図であり、図５は罠作動時における罠本体２の内側から見た罠作動体６の斜視図である。
獣捕獲用箱罠１を鹿や猪などの捕獲を必要とする山林に設置する。箱罠運搬時には罠本体２の上部に取り付けられた運搬用フック２ｈを利用できる。
罠設置後、罠本体２の開口部に設けられた前後のシャッタ３ａ、３ｂをガイドレール２ｅ4に沿って垂直上方に持ち上げて、固定ピン９をシャッタ側に前進させることによりシャッタ３ａ、３ｂの下縁部を受けることで罠本体２とシャッタ３ａ、３ｂの下縁部とを固定する。固定ピン９で固定することによりシャッタ３ａ、３ｂの落下を防ぐことができ、罠の設置を安全に行なうことができる。また、シャッタ３ａ、３ｂが固定されることで、罠本体２の前後を開口することができる。
【００２２】
罠本体２の前後を開口させた状態で、ロッドの一端５ｂとレバー６ｂの先端に取り付けられた索条連結用ロッド６ｆとを索条７で連結する。索条７は罠本体２の表面に取り付けられたリング２ｇを介して、ロッド５の付勢力に抗して、ロッド５を略水平に保つように張設・連結する。ロッド５の付勢力により、索条７は張設することができる。
索条７の連結時には、架台６ｄと平板状固定片６ｃとの間に円柱状の罠作動体６ｅを予め挟持させておく。罠作動体６ｅを予め挟持させることにより、軸６ａの自由回転を防ぎ、索条７を張設した状態で罠を設置できる。索条７の連結後に安全ピン９ａを罠作動部用筐体６ｇに設けられたピン孔に挿入する。固定ピン９および安全ピン９ａの作用により、シャッタ３ａ、３ｂを開状態に保持したまま安全に罠を設置できる。
【００２３】
罠作動体６ｅに古丸太などの獣感知部体６ｆを紐６ｈなどで繋ぎ、獣感知部体６ｆを罠本体２の略中央内部に放置する。また、獣感知部体６ｆの周囲や下面に餌を置く。
なお、猿などに対しては、獣感知部体６ｆを使用することなく、罠作動体６ｅに繋がれた紐６ｆの先端に餌をつけて罠本体２の上部から吊り下げる状態でもよい。
【００２４】
シャッタ３ａ、３ｂの下部に設けられたシャッタ係止部４を構成するロープ４ａをロッド５の一端５ａに吊りかけることにより、シャッタ係止部４とロッド５とを係止する。
その後、固定ピン９の先端を罠本体側に後退させ、安全ピン９ａを取り外すことで、シャッタ３ａ、３ｂは開状態に保持されて、罠の安全装置が解除される。
【００２５】
罠本体２は前後の開口を有するので、鹿や猪などの獣類８が感じる警戒心が低減される。また、罠本体２内部に、罠を作動させるための張設した索体がなく、古丸太などの獣感知部体６ｆが単に放置されているだけなので、獣類８の警戒心がより低減される。
獣類８が罠本体２内の獣感知部体６ｆに接触して、獣感知部体６ｆを揺動することで、罠作動部６内に挟持された罠作動体６ｅが平板状固定片６ｃと架台６ｄとの間から外れる。罠作動体６ｅが外れることにより、索条７の張力により軸６ａが回転して、張設された索条７が緩む。索条７が緩むと、ロッド５の一端５ａが付勢されている方向に回転することでシャッタ係止部４とロッドの一端５ａとの係合が外れ、シャッタ３ａ、３ｂが自重で垂直に落下して前後の開口を同時に塞ぐ。
【００２６】
獣捕獲用箱罠１に捕獲された獣類８を移動させるために、獣類８を移動用檻に収容する必要がある。
本発明の獣捕獲用箱罠１は、獣類８を移動用檻に収容するための補助開口部２ｉおよびこの補助開口部２ｉを塞ぐ補助扉１０を備えることができる。図６は補助扉１０により補助開口部２ｉを塞いだ状態を示す図である。
補助扉１０は、罠本体２の開口を有する面に隣接する側面に、開口面より小さい面積として設けられた補助開口２ｉを塞ぐ扉である。補助開口２ｉの面積は捕獲した獣類が自由に通過できる大きさであればよい。また、補助扉１０はシャッタ３と同様に自重で垂直に落下できると共に、手動で補助扉１０を持ち上げることができる取っ手１０ａを有している。
【００２７】
図７は移動用檻１１の斜視図である。移動用檻１１は、鉄筋を格子状に組み付けた移動用檻本体１１ａおよび罠本体の補助開口２ｉと同じ大きさの開口１１ａを有し、この開口上に垂直に係止され、自重で垂直に落下して開口を塞ぐシャッタ１１ｂと、このシャッタ１１ｂを支えると共に、獣類８の衝突で開口から後退してシャッタの支えが外れ開口を閉鎖する閉鎖機構１１ｃとを有している。
移動用檻１１の開口１１ａは罠本体の補助開口２ｉに密接して配置される。
【００２８】
獣捕獲用箱罠１に捕獲された獣類８は、不安定な心理状態となるため、獣捕獲用箱罠１の補助扉１０を手動で持ち上げると、逃げ口を見つけた獣類８は罠本体の補助開口２ｉおよび開口１１ａを経て勢いよく移動用檻１１内に突進する。その勢いで閉鎖機構１１ｃが移動用檻の開口から後退してシャッタ１１ｂの支えが外れて移動用檻１１内に獣類８を収容できる。
【産業上の利用可能性】
【００２９】
本発明の獣捕獲用箱罠は、簡易な機構で、山林、その他任意の場所に設置することができ、鹿や猪などの獣類を容易に捕獲できる。
【符号の説明】
【００３０】
１    獣捕獲用箱罠
２    罠本体
３    シャッタ
４    シャッタ係止部
５    ロッド
６    罠作動部
７    索条
８    獣類
９    安全装置
１０  補助扉
１１  移動用檻
【図１】
2010268699.tif 000003
【図２】
2010268699.tif 000004
【図３】
2010268699.tif 000005
【図４】
2010268699.tif 000006
【図５】
2010268699.tif 000007
【図６】
2010268699.tif 000008
【図７】
2010268699.tif 000009